(57)【要約】【課題】負イオン発生装置やオゾン発生装置は、安全装置の維持管理が不可欠でメンテナンス等のランニングコスト高になっている。アルコールや金属等で抗菌する方法は一時的な効果である。加湿器で長時間噴霧して加湿すると、カビや雑菌を発生させるという問題がある。【解決手段】本発明の装置に水タンクを設置し、タンク内の水を連続的に回転軸内部を流しセラミック活性炭中心部からしみこませ、含水したセラミック活性炭を回転させて水を気化させ、通風路の入口側に設置した送風機で出口側から気化した水分とイオンを外部に放出するセラミック活性炭のイオン化噴霧方法と加湿抗菌装置。セラミック活性炭には３以上の穴が開いている。空気と接する面積が多くて水分子の気化量を多くできることからハニカム状に穴を開けると効率が良い。  回転数はセラミック活性炭に含浸した水が外周から遠心力で飛び散ることのない回転数以下が望ましい。【選択図】            図１
2005030744.tif 000002
【特許請求の範囲】
【請求項１】
前後が貫通している通風路を持ち、噴霧水を供給する水タンクを設置し、タンク内の水を連続的に回転軸内部のセラミック活性炭中心部にしみこませ、含水したセラミック活性炭を回転させて水を気化させ、貫通されている通風路の入口側に送風機を設置し、送風機の前にイオン放電極を組み込み、通風路の出口側から気化させた水分とイオンを外部に放出することを特徴とするセラミック活性炭のイオン化噴霧方法と加湿抗菌装置。
【請求項２】
前記装置内の水タンクからセラミック活性炭に投入される水は、固定部分と回転軸に設置した継ぎ手を介して供給されるように回転軸部に穴を開け接続したことを特徴とする請求項１に記載のセラミック活性炭のイオン化噴霧方法。
【請求項３】
前記投入された水はハニカム状に穴を設けたセラミック活性炭にしみこませ、水を気化させることを特徴とする請求項１に記載のセラミック活性炭のイオン化噴霧方法。
【請求項４】
前記気化された水を、イオン発生電極と空間容積にあわせた送風量にし、水分とイオンを外部に放出することを特徴とする請求項１記載の加湿抗菌装置。
【請求項５】
前記装置の水タンクの温度を６０〜９０℃になるように設定、制御可能にすることができることを特徴とする請求項１に記載のセラミック活性炭のイオン化噴霧方法と加湿抗菌装置。
【請求項６】
前記セラミック活性炭は、活性炭２０〜５０％・カオリン３０〜６０％・木節粘土１０〜４０％をベースに銀０．１％とチタン０．５〜１％を混入して、無酸素状態で１０〜１８時間、１１５０〜１２６０℃で焼成したことを特徴とする請求項１に記載のセラミック活性炭。
【発明の詳細な説明】
【技術分野】
【０００１】本発明は水の温度を自由に制御して固定部分より回転部分に供給し、水の大きさに限りなく小さくして、無声放電にて放出される負イオンと一緒に外部へイオン化噴霧する方法で、負イオンを含んだ水分を加湿抗菌し、自然環境に適したシステムを通して、人間生活環境に寄与する装置に関するものである。
【背景技術】
【０００２】水の温度を自由に調整する装置は、管の中を通して外気を冷暖房する装置が一般的に知られている。また、エアコンやクーラーのように、除湿と温度制御をする装置もある。抗菌装置に関しては負イオンやオゾンを発生させて抗菌する方法とアルコールや金属等にて抗菌する方法もある。加湿装置としては、加湿器のように水を噴霧して加湿する装置も知られている。
【発明の開示】
【発明が解決しようとする課題】
【０００３】ところが、水を管の中に通して外気を冷暖房する装置は、いずれも大掛かりな設備等が必要となり、しかも装置内の水の温度制御や熱交換や装置のメンテナンス等の維持管理当によるランニングコスト高をおこしている。また、エアコンやクーラーは、電気等を使用して除湿するためランニングコスト高となる。さらに外気との湿度差を生じて体に良くないといわれている。負イオン発生装置やオゾン発生装置は、安全装置の維持管理が不可欠となっているためメンテナンス等のランニングコスト高になっている。アルコールや金属等で抗菌する方法は、一時的に効果はあるが長い持続性を保つには大掛かりな設備が必要になる。加湿器のように水分を長時間噴霧して加湿すると、カビや雑菌を発生させるという問題がある。【０００４】本発明は、このような従来の装置や方法の問題点を解消し、人間社会がもっとも必要としている自然環境の空間を生み出すための装置を提供し、安全で低ランニングコストを実現することを目的に案出されたものである。
【課題を解決するための手段】
【０００５】このような目的をはたす本発明の装置について図１をもとに説明する。装置１内に水タンク１０を設置し、タンク１０内の水を連続的に回転軸内部を流しセラミック活性炭１１中心部からしみこませ、含水したセラミック活性炭１１を回転させて水を気化させ、通風路１２の入口側に設置した送風機で出口側から気化した水分とイオンを外部に放出するセラミック活性炭１１のイオン化噴霧方法と加湿抗菌装置。
発明の効果【０００６】本発明による効果は次のとおりである。
・負イオンの発生量を増やすことができる。
・水タンク、管、セラミック活性炭に雑菌、カビが繁殖しないきれいな水を維持できる。
・清掃等の維持コストがかからない。
・清潔な装置で清潔な水分子にくるまれた負イオンでさわやかな室空間にできる。
【発明を実施するための最良の形態】
【０００７】通風路１２には入口側から送風機１３、陰電極１４、セラミック活性炭１１がある。
陰電極１４には−４０００〜−８０００Ｖの電荷を印加されマイナスイオンを空気中に放出する。
他方、陽極１５は接地させておく。
高電圧発生の回路２は高電圧トランス、倍電圧整流（コッククロフト回路）、圧電セラミックトランス等の種々の方式があるが本発明の請求と直接関係ないので割愛する。
電極間の間隙を狭くすると火花を飛び散らせプラズマ状態を作り生物に有害なオゾンを発生させてしまう。このため本発明では陰極と陽極の間隙を広くし陰電極１４でマイナスイオンのみを発生させる無声放電を起こすようにする。
送風機１３を陰電極１４の下流に位置させるとマイナスイオンの消滅を早めたり、機器の損傷を引き起こすので上流に位置させることが望ましい。【０００８】また水の補給について図２をもとに説明する。装置内の水タンク１０から回転軸２１内部に投入する水は、管を通って軸に設置した継ぎ手に導かれる、回転軸２１内部にも穴が開いておりセラミック活性炭１１に供給されるようになっている。回転軸２１には回転が停止した場合に水の流れを遮断する機構２２が設けられている。このことにより水タンク１０からセラミック活性炭１１の間で空気に触れる部分がなくせ、本装置の動作／停止に関係なく雑菌の混入を防止できる。【０００９】請求項３のセラミック活性炭について図３をもとに説明する。セラミック活性炭１１はモーター１７によって回転される。その回転軸は通風方向にをあわせてある。また通風方向（すなわち軸方向）に穴２０が開いている。穴は３以上が良く、空気と接する面積が多くて水分子の気化量を多くできることからハニカム状に穴を開けると効率が良い。  回転数は以下の理由よりセラミック活性炭１１に含浸した水が外周から遠心力で飛び散ることのない回転数以下が望ましい。
遠心力で水が飛び散るようだと電極や配線に水が付着し絶縁が保てなくなり、漏電を起こし十分な電圧の印加ができなくなる、空気中に飛び散った水滴がイオンを水分子への閉じ込めるのを阻害し、効果が得られない。【００１０】水タンク１０はヒータ１６で加温するようになっている。水温は雑菌を殺菌できる６０〜９０℃にする。温度制御の方法は世の中で数多く知られており本発明とは直接関係ないので割愛する。ヒーター１６は殺菌を目的とするため、常時通電する必要はない。一定周期で通電すればよく、自動通電もしくは手動通電のいずれでも良い。例えば本装置に通電した時にヒーター１６の通電を開始し、６０〜９０℃に達した時点で通電を停止しても良い。【００１１】セラミック活性炭１１は、活性炭２０〜５０％・、カオリン３０〜６０％・木節粘土１０〜４０％をベースに銀０．１％とチタン０．５〜１％を混入して、無酸素状態で１０時間〜１８時間、１１５０〜１２６０℃で焼成する。
銀・チタンの抗菌作用と、セラミック活性炭１１から発生するマイナスイオンにより更に抗菌効果を高めることができる。【００１２】図４は本発明の回路の一例を示すブロック図である。
交流電源８０から取り込まれた電源は直流電源回路３１によって直流に変換される。昇圧回路３２は低圧の直流を高電圧に昇圧する回路で発信回路と昇圧トランスで構成される。昇圧回路３２で昇圧した２次電圧は整流平滑回路３３で直流にされる。この直流はプラスがアースに、そしてマイナスがイオン発生の陰電極１４に接続される。
トランスが大きくて巻き線の絶縁耐圧が十分取れる場合には商用電源から直接昇圧することも可能である【００１３】次に水タンク１０を加温するヒーター３６は開閉手段３５を介して交流電源３０に接続されている。開閉手段３５は自動／手動のモード選択ができ、自動モードでは通電時に通電され、規定温度（６０〜９０℃）に達すると通電を停止する。他方手動モードでは任意に通電と停止ができる。
【図面の簡単な説明】
【００１４】
【図１】セラミック活性炭のイオン化噴霧方法と加湿抗菌装置の内部を示す説明図
【図２】セラミック活性炭に水を補給する配管を示す模式図
【図３】セラミック活性炭の穴のあけ方を示す図
【図４】本発明の回路の一例を示すブロック図
【符号の説明】
【００１５】１・・本装置、２・・高電圧発生の回路、１０・・水タンク１１・・セラミック活性炭、１２・・通風路、１３・・送風機、１４・・イオン発生陰電極、１５・・陽極、１６・・ヒーター、１７・・モーター、２０・・穴、２１・・回転軸、２２・・遮断機構、３０・・交流電源、３１・・直流電源回路、３２・・昇圧回路、３３・・整流平滑回路、３５・・開閉手段、３６・・ヒーター
【図１】
2005030744.tif 000003
【図２】
2005030744.tif 000004
【図３】
2005030744.tif 000005
【図４】
2005030744.tif 000006